(57)【要約】【課題】最初に設定した現用回線又は予備回線が障害から復帰した場合、現在、現用回線又は予備回線として確保されている回線を、復帰した前記最初に設定した現用回線又は予備回線に切替えることができる伝送装置、伝送ネットワーク及びそれらに用いる回線切り替え方法を提供すること。【解決手段】本発明は、現用回線に障害が発生し、予備回線に切り替えられた時点で新たな予備回線を探索し、探索された予備回線を登録し、常に１：１の現用回線と予備回線とを確保する伝送ネットワークに用いる伝送装置であって、最初に設定した現用回線と予備回線とを保持する保持部と、前記最初に設定した現用回線又は予備回線が障害から復帰した場合、現在、現用回線又は予備回線として確保されている回線を、復帰した前記最初に設定した現用回線又は予備回線に切替える回線切替部とを有する。【選択図】図１
2010141879.tif 000002
【特許請求の範囲】
【請求項１】
現用回線に障害が発生し、予備回線に切り替えられた時点で新たな予備回線を探索し、探索された予備回線を登録し、常に１：１の現用回線と予備回線とを確保する伝送ネットワークに用いる伝送装置であって、
最初に設定した現用回線と予備回線とを保持する保持部と、
前記最初に設定した現用回線又は予備回線が障害から復帰した場合、現在、現用回線又は予備回線として確保されている回線を、復帰した前記最初に設定した現用回線又は予備回線に切替える回線切替部と
を有することを特徴とする伝送装置。
【請求項２】
前記回線切替部は、前記最初に設定した現用回線又は予備回線が障害から復帰した場合、現在、予備回線として確保されている回線を、復帰した前記最初に設定した現用回線又は予備回線に切替えることを特徴とする請求項１に記載の伝送装置。
【請求項３】
前記回線切替部は、前記最初に設定した現用回線又は予備回線が障害から復帰した場合、現在、現用回線として確保されている回線を、復帰した前記最初に設定した現用回線又は予備回線に切替えることを特徴とする請求項１に記載の伝送装置。
【請求項４】
前記回線切替部は、自動または手動にて切替えることを特徴とする請求項１に記載の伝送装置。
【請求項５】
前記保持部と前記回線切替部とは、回線の設定の起点となる伝送装置に設けられることを特徴とする請求項１に記載の伝送装置。
【請求項６】
現用回線に障害が発生し、予備回線に切り替えられた時点で新たな予備回線を探索し、探索された予備回線を登録し、常に１：１の現用回線と予備回線とを確保する伝送ネットワークに用いる伝送装置であって、
最初に設定した現用回線と予備回線とを保持する保持部と、
回線の障害又は復帰を検出する回線障害検出部と、
現用回線と予備回線とが登録される障害回復群と、
前記回線障害検出部の検出を受け、前記最初に設定した現用回線又は予備回線が障害から復帰した場合、前記障害回復群に登録されている予備回線を削除し、復帰した前記最初に設定した現用回線又は予備回線を、予備回線として前記障害回復群に登録する回線切替部と、
前記回線障害検出部の検出を受け、現用回線に障害が発生した場合、現用回線を、前記障害回復群に登録されている予備回線に切替える事前回線設定切替部と、
を有することを特徴とする伝送装置。
【請求項７】
前記保持部、前記回線障害検出部、前記障害回復群、前記回線切替部、及び前記事前回線設定切替部は、回線の設定の起点となる伝送装置に設けられることを特徴とする請求項６に記載の伝送装置。
【請求項８】
現用回線に障害が発生し、予備回線に切り替えられた時点で新たな予備回線を探索し、探索された予備回線を登録し、常に１：１の現用回線と予備回線とを確保する伝送ネットワークシステムであって、
最初に設定した現用回線と予備回線とを保持する保持部と、
前記最初に設定した現用回線又は予備回線が障害から復帰した場合、現在、現用回線又は予備回線として確保されている回線を、復帰した前記最初に設定した現用回線又は予備回線に切替える回線切替部と
を有することを特徴とする伝送ネットワークシステム。
【請求項９】
前記回線切替部は、前記最初に設定した現用回線又は予備回線が障害から復帰した場合、現在、予備回線として確保されている回線を、復帰した前記最初に設定した現用回線又は予備回線に切替えることを特徴とする請求項８に記載の伝ネットワークシステム。
【請求項１０】
前記回線切替部は、前記最初に設定した現用回線又は予備回線が障害から復帰した場合、現在、現用回線として確保されている回線を、復帰した前記最初に設定した現用回線又は予備回線に切替えることを特徴とする請求項８に記載の伝送ネットワークシステム。
【請求項１１】
前記回線切替部は、自動または手動にて切替えることを特徴とする請求項８に記載の伝送ネットワークシステム。
【請求項１２】
前記保持部と前記回線切替部とは、回線の設定の起点となる伝送装置に設けられることを特徴とする請求項８に記載の伝送ネットワークシステム。
【請求項１３】
現用回線に障害が発生し、予備回線に切り替えられた時点で新たな予備回線を探索し、探索された予備回線を登録し、常に１：１の現用回線と予備回線とを確保する伝送ネットワークシステムにおける回線切り替え方法であって、
最初に設定した現用回線と予備回線とを記憶しておき、
前記最初に設定した現用回線又は予備回線が障害から復帰した場合、現在、現用回線又は予備回線として確保されている回線を、復帰した前記最初に設定した現用回線又は予備回線に切替える
ことを特徴とする回線切り替え方法。
【請求項１４】
前記最初に設定した現用回線又は予備回線が障害から復帰した場合、現在、予備回線として確保されている回線を、復帰した前記最初に設定した現用回線又は予備回線に切替えることを特徴とする請求項１３に記載の回線切り替え方法。
【請求項１５】
前記最初に設定した現用回線又は予備回線が障害から復帰した場合、現在、現用回線として確保されている回線を、復帰した前記最初に設定した現用回線又は予備回線に切替えることを特徴とする請求項１３に記載の回線切り替え方法。
【請求項１６】
現用回線に障害が発生し、予備回線に切り替えられた時点で新たな予備回線を探索し、探索された予備回線を登録し、常に１：１の現用回線と予備回線とを確保する伝送ネットワークに用いる伝送装置のプログラムであって、
最初に設定した現用回線と予備回線とを保持する処理と、
前記最初に設定した現用回線又は予備回線が障害から復帰した場合、現在、現用回線又は予備回線として確保されている回線を、復帰した前記最初に設定した現用回線又は予備回線に切替える処理と
を伝送装置に実行させることを特徴とするプログラム。
【発明の詳細な説明】
【技術分野】
【０００１】
本発明は、伝送装置、伝送ネットワーク及びそれらに用いる回線切り替え方法に関する。
【背景技術】
【０００２】
本発明に関連する伝送ネットワークの回線切り替え方法においては、回線の切り替え先を予め設定する方式の場合、回線の切り替え先が固定されている。また、動的な回線切り替えを行う場合、回線の切り替え先は、ネットワークの資源がある限り検索することができるが、回線の切り替え速度は切り替え先が固定された事前回線設定切り替え手段と比べて遅い。さらに、動的な回線切り替えを行う場合は、回線障害が復旧した後、最初に設定した回線に戻すことができない。
【０００３】
例えば、特許文献１には、現用パスに障害が発生し、現用パスが予備パスに切り替えられた時点で、新たな予備パスを探索することが開示されている。
【先行技術文献】
【特許文献】
【０００４】
【特許文献１】特開２００５−０１２３０６号公報
【発明の概要】
【発明が解決しようとする課題】
【０００５】
本発明に関連する回線切り替え方法では、分散処理による回線切り替え方法の場合、回線の切り替え先を予め設定する方式であれば、回線の切り替えは事前に回線設定することで高速に回線を切り替えることができる。
【０００６】
しかしながら、回線の切り替え先を予め設定する方式の場合は、回線の切り替え先が固定されてしまうという課題があった。
【０００７】
また、本発明に関連する回線切り替え方法では、動的な回線切り替えを行う方式の場合、回線の切り替え先はネットワークの資源がある限り検索することができる。
【０００８】
しかしながら、動的な回線切り替えを行う方式の場合は、回線の切り替え速度が事前に回線設定する切替方式と比べて遅くなるという課題があった。
【０００９】
さらに、上記の特許文献１に記載の方式では、現用パスが予備パスに切り替えられた時点で、新たな予備パスを探索することで、事前に回線設定することができるので、回線の切り替え先が固定されず、しかも高速に回線を切り替えることができる。
【００１０】
しかしながら、特許文献１に記載の方式では、現用パスが障害から復帰した場合に最初に設定していた現用パスに切り戻すことができるかが不明瞭になるという課題があった。
【００１１】
そこで、本発明は上記課題に鑑みて発明されたものであって、その目的は、最初に設定した現用回線又は予備回線が障害から復帰した場合、現在、現用回線又は予備回線として確保されている回線を、復帰した前記最初に設定した現用回線又は予備回線に切替えることができる伝送装置、伝送ネットワーク及びそれらに用いる回線切り替え方法を提供することにある。
【課題を解決するための手段】
【００１２】
本発明は、現用回線に障害が発生し、予備回線に切り替えられた時点で新たな予備回線を探索し、探索された予備回線を登録し、常に１：１の現用回線と予備回線とを確保する伝送ネットワークに用いる伝送装置であって、最初に設定した現用回線と予備回線とを保持する保持部と、前記最初に設定した現用回線又は予備回線が障害から復帰した場合、現在、現用回線又は予備回線として確保されている回線を、復帰した前記最初に設定した現用回線又は予備回線に切替える回線切替部とを有することを特徴とする。
【００１３】
本発明は、現用回線に障害が発生し、予備回線に切り替えられた時点で新たな予備回線を探索し、探索された予備回線を登録し、常に１：１の現用回線と予備回線とを確保する伝送ネットワークに用いる伝送装置であって、最初に設定した現用回線と予備回線とを保持する保持部と、回線の障害又は復帰を検出する回線障害検出部と、現用回線と予備回線とが登録される障害回復群と、前記回線障害検出部の検出を受け、前記最初に設定した現用回線又は予備回線が障害から復帰した場合、前記障害回復群に登録されている予備回線を削除し、復帰した前記最初に設定した現用回線又は予備回線を予備回線に登録する回線切替部と、前記回線障害検出部の検出を受け、現用回線に障害が発生した場合、現用回線を、前記障害回復群に登録されている予備回線に切替える事前回線設定切替部とを有することを特徴とする。
【００１４】
本発明は、現用回線に障害が発生し、予備回線に切り替えられた時点で新たな予備回線を探索し、探索された予備回線を登録し、常に１：１の現用回線と予備回線とを確保する伝送ネットワークシステムであって、最初に設定した現用回線と予備回線とを保持する保持部と、前記最初に設定した現用回線又は予備回線が障害から復帰した場合、現在、現用回線又は予備回線として確保されている回線を、復帰した前記最初に設定した現用回線又は予備回線に切替える回線切替部とを有することを特徴とする伝送ネットワークシステムである。
【００１５】
本発明は、現用回線に障害が発生し、予備回線に切り替えられた時点で新たな予備回線を探索し、探索された予備回線を登録し、常に１：１の現用回線と予備回線とを確保する伝送ネットワークシステムにおける回線切り替え方法であって、最初に設定した現用回線と予備回線とを記憶しておき、前記最初に設定した現用回線又は予備回線が障害から復帰した場合、現在、現用回線又は予備回線として確保されている回線を、復帰した前記最初に設定した現用回線又は予備回線に切替えることを特徴とする。
【００１６】
本発明は、現用回線に障害が発生し、予備回線に切り替えられた時点で新たな予備回線を探索し、探索された予備回線を登録し、常に１：１の現用回線と予備回線とを確保する伝送ネットワークに用いる伝送装置のプログラムであって、最初に設定した現用回線と予備回線とを保持する処理と、前記最初に設定した現用回線又は予備回線が障害から復帰した場合、現在、現用回線又は予備回線として確保されている回線を、復帰した前記最初に設定した現用回線又は予備回線に切替える処理とを伝送装置に実行させることを特徴とするプログラムである。
【発明の効果】
【００１７】
本発明は、最初に設定した現用回線又は予備回線が障害から復帰した場合、現在、現用回線又は予備回線として確保されている回線を、復帰した最初に設定した現用回線又は予備回線に切替えることができる。
【図面の簡単な説明】
【００１８】
【図１】図１は本発明の実施の形態による伝送装置の構成例を示すブロック図である。
【図２】図２は図１のネットワーク内の他の伝送装置の構成例を示すブロック図である。
【図３】図３は本発明の実施の形態によるネットワーク回線の高信頼化を適用する伝送装置のネットワーク構成例を示す図である。
【図４】図４は本発明の実施の形態によるネットワーク回線の高信頼化を適用する伝送装置のネットワーク構成における回線切り替え例を示す図である。
【図５】図５は本発明の実施の形態によるネットワーク回線の高信頼化を適用する伝送装置のネットワーク構成における回線切り替え例を示す図である。
【図６】図６は本発明の実施の形態によるネットワーク回線の高信頼化を適用する伝送装置のネットワーク構成における回線切り替え例を示す図である。
【図７】図７は本発明の実施の形態によるネットワーク回線の高信頼化を適用する伝送装置のネットワーク構成における回線切り替え例を示す図である。
【図８】図８は本発明の実施の形態によるネットワーク回線の高信頼化を適用する伝送装置のネットワーク構成における回線切り替え例を示す図である。
【図９】図９は本発明の実施の形態によるネットワーク回線の高信頼化を適用する伝送装置のネットワーク構成における回線切り替え例を示す図である。
【発明を実施するための形態】
【００１９】
本発明の実施の形態について図面を参照して説明する。
【００２０】
まず、本発明による伝送ネットワークの概要について説明する。本発明による伝送ネットワークは、回線の設定の起点（Ｉｎｇｒｅｓｓ）となる伝送装置に、回線設定・削除手段と、経路計算手段と、ルーティング手段と、事前回線設定切替手段と、回線切替手段と、回線障害検出手段と、現用回線／予備回線保持手段を具備している。
【００２１】
また、本発明による伝送ネットワークは、回線の設定の中継あるいは終点（Ｅｇｒｅｓｓ）となる伝送装置に、回線設定・削除手段と、ルーティング手段と、回線障害検出手段とを具備させている。
【００２２】
このように、本発明による伝送ネットワークは、回線の設定の起点（Ｉｎｇｒｅｓｓ）となる伝送装置に、ルーティング手段と経路計算手段とを実装しているので、回線の切り替え先を、伝送ネットワークの資源がある限り使用することができる。
【００２３】
また、本発明による伝送ネットワークは、事前に回線設定する際に予備回線を確保しているため、高速に切り替えることができる。さらに、本発明による伝送ネットワークは、最初に設定した現用回線と予備回線とを保持しており、回線障害が復旧した後、最初にユーザが設定した回線に戻すことができる。
【００２４】
つまり、本発明による伝送ネットワークは、常に１：１の現用／予備回線を確保するために、現用回線に障害が発生し、予備回線に切り替えられた時点で新たな予備回線を探索し、予備回線に登録するとともに、最初に設定した現用回線と予備回線とを保持しておき、最初に設定した現用回線又は予備回線が障害から復帰した時に、現在、現用回線又は予備回線として確保されている回線を、復帰した最初に設定した現用回線又は予備回線に切替えることが特徴である。
【００２５】
図１は本発明の実施の形態による伝送装置の構成例を示すブロック図である。図１においては、本発明に係わるネットワーク回線の多重障害に対して高信頼に障害回復する機能を提供する伝送装置の構成例を示している。
【００２６】
伝送装置１は、回線の設定の起点（Ｉｎｇｒｅｓｓ）となる装置で、回線設定・削除部１１と、経路計算部１２と、ルーティング部１３と、事前回線設定切替部１４と、回線切替部１５と、回線障害検出部１６と、現用回線／予備回線保持部１７とから構成されている。伝送装置１には、複数の伝送装置２が接続されている。
【００２７】
回線設定・削除部１１は、伝送装置内の回線の設定、回線の削除を行う機能を持っている。回線設定・削除部１１は、最初に設定された現用回線及び予備回線を、現用回線／予備回線保持部１７に回線を保持するように登録する。回線設定・削除部１１は、回線切替部１５の要求に従って、自装置の予備回線の新規設定、現用回線の削除を行い、外部の伝送装置２に回線設定、回線削除の命令を出す。回線設定・削除部１１は、回線の設定削除による伝送装置の有効資源を広告するために、その資源の増減をルーティング部１３に通知する。
【００２８】
経路計算部１２は、回線切替部１５によりネットワーク内の伝送装置を経由するの新規の回線経路が要求された時、ルーティング部１３のネットワーク内のリソース情報を使って回線経路の計算を行う。
【００２９】
ルーティング部１３は、回線設定・削除部１１から通知された自伝送装置の有効資源をネットワーク内の他の伝送装置２に広告し、ネットワーク内の他の伝送装置２から広告された有効資源を収集することにより、ネットワーク全体の有効資源を情報として保持し、経路計算部１２より要求された場合、そのネットワーク全体の有効資源情報を応答する。
【００３０】
事前回線設定切替部１４は、回線切替部１５によって設定された現用回線と予備回線とから構成される障害回復群を、回線障害検出部１６からの情報で障害の発生が検出された場合、事前に回線設定する方式によって現用回線と予備回線とを高速に切り替える。障害回復群は、複数存在しても良い。
【００３１】
回線切替部１５は、回線障害検出部１６から回線障害通知、回線削除通知を受けた場合、新規の予備回線の経路検索を行う。予備回線の経路は、経路計算部１３より新規の予備経路を検索して、回線設定・削除部１１に回線設定を要求することにより設定される。
【００３２】
回線設定・削除部１１による回線設定後、回線切替部１５は、障害の発生した回線を事前回線設定切替部１４の障害回復群から外し、新規に設定した予備回線を障害回復群に加える。そして、回線切替部１５は、障害が発生した回線を回線設定・削除部１１に対して回線削除を要求する。
【００３３】
回線切替部１５は、現用回線／予備回線保持部１７を参照し、最初に設定された現用回線と予備回線とを削除せず、回線障害検出部１６からの障害回復の通知をモニタし続ける。回線切替部１５は、回線障害検出部１６からの障害の回復通知を受けた場合、障害が回復した回線が現用回線／予備回線保持部１７に保持されている最初に設定された現用回線又は予備回線である場合、現在、事前回線設定切替部１４に予備回線として設定されている回線を障害回復群から外し、障害が回復したその回線を障害回復群に設定する。そして、回線設定・削除部１１に対して障害回復群から外した回線を削除するように要求を出す。
【００３４】
回線障害検出部１６は、自伝送装置で発生した回線障害あるいは、ネットワーク内の他の伝送装置２から受信した回線障害を事前回線設定切替部１４と回線切替部１５とに通知する。
【００３５】
現用回線／予備回線保持部１７は、回線設定・削除部１１の登録により、最初に設定された現用回線と予備回線とが削除されないように保持する。現用回線／予備回線保持部１７は、回線切替部１５の参照に対して、保持している現用回線及び予備回線の情報を返答する。
【００３６】
ネットワーク内の他の伝送装置２は、回線の設定の起点（Ｉｎｇｒｅｓｓ）となる装置以外のネットワーク内に存在する伝送装置で、回線の中継、終点（Ｅｇｒｅｓｓ）となる伝送装置を含む。ユーザ端末３は、回線の設定、削除、障害回復群の指示を行う。
【００３７】
図２は図１のネットワーク内の他の伝送装置２の構成例を示すブロック図である。図２において、伝送装置２は、回線の設定の中継あるいは終点（Ｅｇｒｅｓｓ）となる装置で、回線設定・削除部２１と、ルーティング部２２と、回線障害検出部２３とから構成されている。伝送装置２には、回線の設定の起点（Ｉｎｇｒｅｓｓ）となる起点伝送装置１と、その他の複数の伝送装置４とが接続されている。
【００３８】
回線設定・削除部２１は、伝送装置内の回線の設定、回線の削除を行う機能を持っており、起点伝送装置１からの回線設定・削除命令により、自伝送装置に回線設定、回線削除を行う。回線設定・削除部２１は、回線の設定削除による伝送装置の有効資源を報告するために、その資源の増減をルーティング部２２に通知する。
【００３９】
ルーティング部２２は、回線設定・削除部２１から通知された自伝送装置の有効資源をネットワーク内の他の伝送装置４と起点伝送装置１とに広告し、ネットワーク内の他の伝送装置４と起点伝送装置１とから広告された有効資源を収集することにより、ネットワーク全体の有効資源を情報として保持する。
【００４０】
回線障害検出部２３は、自伝送装置で発生した回線障害を起点伝送装置１に通知する。
【００４１】
起点伝送装置１は、伝送装置内の回線の設定、回線の削除の起点（Ｉｎｇｒｅｓｓ）となる伝送装置であり、上記の図１に示す構成となっている。ネットワーク内の他の伝送装置４は、回線の設定の起点（Ｉｎｇｒｅｓｓ）となる装置以外のネットワークの内に存在する伝送装置で、回線の中継、終点（Ｅｇｒｅｓｓ）となる伝送装置を含む。
【００４２】
図３は本発明の実施の形態によるネットワーク回線の高信頼化を適用する伝送装置のネットワーク構成例を示す図である。図３において、伝送装置ａは、回線の設定の起点（Ｉｎｇｒｅｓｓ）となる装置である。伝送装置ｂは、回線の終点（Ｅｇｒｅｓｓ）となる装置である。伝送装置ｃ，ｄ，ｅ，ｆ，ｇ，ｈ，ｉ，ｊ，ｋ，ｍは、回線の中継となる装置である。
【００４３】
ＬＳＰ（Ｌａｂｅｌ  Ｓｗｉｔｃｈｅｄ  Ｐａｔｈ）１は、伝送装置ａを起点（Ｉｎｇｒｅｓｓ）とする現用回線である。ＬＳＰ２は、伝送装置ａを起点（Ｉｎｇｒｅｓｓ）とする予備回線である。障害回復群には、ＬＳＰ１とＬＳＰ２とが登録されている。（Ｗ）は現用状態（Working Status）、（Ｐ）は予備状態(Protection Status)を表している。
【００４４】
図４〜図８は本発明の実施の形態によるネットワーク回線の高信頼化を適用する伝送装置のネットワーク構成における回線切り替え例を示す図である。これら図１〜図８を参照して、本発明の実施の形態による回線切り替え例の動作について説明する。
【００４５】
図３のネットワーク構成において、伝送装置ａの構成は、図１に示す伝送装置１と同様の構成となっており、伝送装置ｂ，ｃ，ｄ，ｅ，ｆ，ｇ，ｈ，ｉ，ｊ，ｋ，ｍの構成は、図２に示す伝送装置２と同様の構成となっている。
【００４６】
ユーザ端末３は、伝送装置ａ，ｂ間に、現用回線ＬＳＰ１を設定するために、伝送装置ａの回線設定・削除部１１に要求を出す。回線設定・削除部１１は、設定要求に従い、現用回線の設定を行い、外部の伝送装置ｂに回線設定命令を出す。そして、回線設定・削除部１１は、回線の設定による伝送装置の有効資源を広告するために、その資源の減少をルーティング部１３に通知する。
【００４７】
伝送装置ａから回線設定命令を受けた伝送装置ｂの回線設定・削除部２１は、設定要求に従い、現用回線の設定を行い、回線の設定による伝送装置の有効資源を広告するために、その資源の減少をルーティング部２２に通知する。
【００４８】
ユーザ端末３は、伝送装置ａ，ｃ，ｂ間に、予備回線ＬＳＰ２を設定するために、伝送装置ａの回線設定・削除部１１に要求を出す。回線設定・削除部１１は、設定要求に従い、予備回線の設定を行い、外部の伝送装置ｃに回線設定命令を出す。
【００４９】
そして、回線設定・削除部１１は、回線の設定による伝送装置の有効資源を広告するために、その資源の減少をルーティング部１３に通知する。同時に、回線設定・削除部１１は、最初に設定された現用回線及び予備回線を、現用回線／予備回線保持部１７に回線を保持するように登録する。本例では、最初に設定された現用回線はＬＳＰ１であり、最初に設定された予備回線はＬＳＰ２である。
【００５０】
伝送装置ａから回線設定命令を受けた伝送装置ｃの回線設定・削除部２１は、設定要求に従い、現用回線の設定を行い、回線の設定による伝送装置の有効資源を広告するために、その資源の減少をルーティング部２２に通知する。さらに、伝送装置ｃは、伝送装置ｂに回線設定命令を出す。
【００５１】
伝送装置ａから回線設定命令を受けた伝送装置ｂの回線設定・削除部２１は、設定要求に従い、予備回線の設定を行い、回線の設定による伝送装置の有効資源を広告するために、その資源の減少をルーティング部２２に通知する。
【００５２】
ＬＳＰ１とＬＳＰ２との回線設定が完了したら、回線設定・削除部１１は、回線切替部１５を介して、ＬＳＰ１とＬＳＰ２とを、事前回線設定切替部１４の障害回復群に登録する。
【００５３】
図４は、現用回線ＬＳＰ１で障害が発生した様子を表したものである。伝送装置ａの障害検出部１６は、障害が発生したことを事前回線設定切替部１４と回線切替部１５とにそれぞれ通知する。事前回線設定切替部１４は、現用回線ＬＳＰ１を障害回復群に登録されている予備回線ＬＳＰ２に、高速に切り替える。
【００５４】
回線切替部１５は、経路計算部１２に新たな経路の検索要求を出す。図４の場合は、経路ａ−ｄ−ｅ−ｂが存在する。回線切替部１５は、回線設定・削除部１１に対して、予備経路ＬＳＰ３の回線設定を要求し、回線設定・削除部１１は、予備経路ＬＳＰ３の回線設定を行う。
【００５５】
回線設定に伴い、伝送装置ａ，ｄ，ｅ，ｂそれぞれのルーティング部１３，２２は、回線の設定による伝送装置の有効資源の減少を広告する。伝送装置ａの回線切替部１５は、事前回線設定切替部１４の障害回復群からＬＳＰ１を削除し、代わりにＬＳＰ３を予備回線として登録する。
【００５６】
図５は、現用回線ＬＳＰ２で障害が発生した様子を表したものである。伝送装置ａの障害検出部１６は、障害が発生したことを事前回線設定切替部１４と回線切替部１５とにそれぞれ通知する。事前回線設定切替部１４は、現用回線ＬＳＰ２を障害回復群に登録されている予備回線ＬＳＰ３に高速に切り替える。
【００５７】
回線切替部１５は、経路計算部１２に新たな経路の検索要求を出す。図５の場合は、経路ａ−ｆ−ｇ−ｈ−ｂが存在する。回線切替部１５は、回線設定・削除部１１に対して、予備経路ＬＳＰ４の回線設定を要求し、回線設定・削除部１１は、予備経路ＬＳＰ４の回線設定を行う。
【００５８】
回線設定に伴い、伝送装置ａ，ｆ，ｇ，ｈ，ｂそれぞれのルーティング部１３，２２は、回線の設定による伝送装置の有効資源の減少を広告する。伝送装置ａの回線切替部１５は、事前回線設定切替部１４の障害回復群からＬＳＰ２を削除し、代わりにＬＳＰ４を予備回線として登録する。
【００５９】
図６は、現用回線ＬＳＰ３で障害が発生した様子を表したものである。伝送装置ａの障害検出部１６は、障害が発生したことを事前回線設定切替部１４と回線切替部１５とにそれぞれ通知する。事前回線設定切替部１４は、現用回線ＬＳＰ３を障害回復群に登録されている予備回線ＬＳＰ４に高速に切り替える。
【００６０】
回線切替部１５は、経路計算部１２に新たな経路の検索要求を出す。図６の場合は、経路ａ−ｉ−ｊ−ｋ−ｍ−ｂが存在する。回線切替部１５は、回線設定・削除部１１に対して、予備経路ＬＳＰ５の回線設定を要求し、回線設定・削除部１１は、予備経路ＬＳＰ５の回線設定を行う。
【００６１】
回線設定に伴い、伝送装置ａ，ｉ，ｊ，ｋ，ｍ，ｂそれぞれのルーティング部１３，２２は、回線の設定による伝送装置の有効資源の減少を広告する。次に、回線切替部１５は、回線設定・削除部１１に対してＬＳＰ３の削除を要求する。
【００６２】
回線削除に伴い、伝送装置ａ，ｄ，ｅ，ｂそれぞれのルーティング部１３，２２は、回線の削除による伝送装置の有効資源の増加を広告する。伝送装置ａの回線切替部１５は、障害回復群からＬＳＰ３を削除し、代わりにＬＳＰ５を予備回線として登録する。
【００６３】
図７は、最初に設定した予備回線ＬＳＰ２の障害が復旧した様子を表したものである。伝送装置ａの障害検出部１６は、障害が復旧したことを事前回線設定切替部１４と回線切替部１１とにそれぞれ通知する。事前回線設定切替部１４は、障害回復群にＬＳＰ２が登録されていないため、切り替えは実行しない。
【００６４】
回線切替部１５は、回線の障害が復旧したことを受け、復旧した回線が現用回線／予備回線保持部１７に登録されている回線かを調べる。ここで、復旧した回線はＬＳＰ２であり、ＬＳＰ２は現用回線／予備回線保持部１７に予備回線として最初に登録されている。そこで、事前回線設定切替部１４の障害回復群に登録されているＬＳＰ５の削除を回線設定・削除部１１に要求する。回線削除に伴い、伝送装置ａ，ｉ，ｊ，ｋ，ｍ，ｂそれぞれのルーティング部１３，２２は、回線の削除による伝送装置の有効資源の増加を広告する。そして、伝送装置ａの回線切替部１５は、事前回線設定切替部１４の障害回復群からＬＳＰ５を削除し、代わりにＬＳＰ２を予備回線として登録する。
【００６５】
図８は、図６の状態から最初に設定した現用回線ＬＳＰ１の障害が復旧した様子を表したものである。伝送装置ａの障害検出部１６は、障害が復旧したことを事前回線設定切替部１４と回線切替部１５とにそれぞれ通知する。事前回線設定切替部１４は、障害回復群にＬＳＰ１が登録されていないため、切り替えを実行しない。
【００６６】
回線切替部１５は、回線の障害が復旧したことを受け、復旧した回線が現用回線／予備回線保持部１７に登録されている回線かを調べる。ここで、復旧した回線はＬＳＰ１であり、ＬＳＰ１は現用回線／予備回線保持部１７に現用回線として最初に登録されている。そこで、回線切替部１５は、ＬＳＰ４の削除を回線設定・削除部１１に要求する。回線削除に伴い、伝送装置ａ，ｆ，ｇ，ｈ，ｂそれぞれのルーティング部１３，２２は、回線の削除による伝送装置の有効資源の増加を広告する。伝送装置ａの回線切替部１５は、障害回復群からＬＳＰ４を削除し、代わりにＬＳＰ１を予備回線として登録する。
【００６７】
このように、最初に設定した現用回線又は予備回線のいずれかが障害から復旧した場合、既に予備回線として登録されているものを削除し、障害から復旧した最初に設定した現用回線又は予備回線を予備回線として登録する。
【００６８】
尚、このとき、現用回線として用いられている回線を、障害から復旧した最初に設定した現用回線又は予備回線に切替えても良い。この場合、回線切替部１５による自動の切替えでも良いし、ユーザによる手動の切替えであっても良い。
【００６９】
次に、図７の状態から、回線ＬＳＰ１の障害が復旧した場合を説明する。図９は図７の状態から、回線ＬＳＰ１の障害が復旧した様子を表したものである。
【００７０】
伝送装置ａの障害検出部１６は、回線ＬＳＰ１の障害が復旧したことを事前回線設定切替部１４と回線切替部１５とにそれぞれ通知する。
【００７１】
回線切替部１５は、回線の障害が復旧したことを受け、復旧した回線が現用回線／予備回線保持部１７に登録されている回線かを調べる。ここで、復旧した回線はＬＳＰ１であり、ＬＳＰ１は現用回線／予備回線保持部１７に現用回線として最初に登録されている。また、事前回線設定切替部１４の障害回復群には、最初に設定した予備回線ＬＳＰ２が既に予備回線として登録されている。
【００７２】
そこで、伝送装置ａの回線切替部１５は、ＬＳＰ４の削除を回線設定・削除部１１に要求する。回線削除に伴い、伝送装置ａ，ｆ，ｇ，ｈ，ｂそれぞれのルーティング部１３，２２は、回線の削除による伝送装置の有効資源の増加を広告する。そして、回線切替部１５は、障害回復群からＬＳＰ４を削除し、代わりにＬＳＰ１を現用回線として登録する。
【００７３】
事前回線設定切替部１４は、障害回復群の現用回線がＬＳＰ４からＬＳＰ１に変更されたことにより、現用回線をＬＳＰ４からＬＳＰ１に高速に切り替える。
【００７４】
尚、上述の例では、現用回線をＬＳＰ４からＬＳＰ１に直接切替えているが、現用回線をＬＳＰ４から既に予備回線として障害回復群に登録されているＬＳＰ２に切替え、ＬＳＰ１を予備回線として障害回復群に登録するようにしても良い。
【００７５】
このように、本実施の形態では、回線の設定の起点（Ｉｎｇｒｅｓｓ）となる伝送装置１にルーティング部１３と経路計算部１２とを実装しているので、回線の切り替え先は、ネットワークの資源がある限り使用することができる。
【００７６】
また、本実施の形態では、事前に回線設定する際に予備回線を確保しているため、回線を高速に切り替えることができる。同時に、本実施の形態では、最初に設定した現用回線と予備回線とを保持しており、回線障害が復旧した後、最初にユーザが設定した回線に戻すことができる。
【００７７】
尚、上述した実施の形態では各部をハードウェアで構成したが、プログラムで動作するＣＰＵ等の情報処理装置で構成しても良い。この場合、プログラムは、上述した動作をＣＰＵ等に実行させる。
【００７８】
本発明の第１の実施例は、現用回線に障害が発生し、予備回線に切り替えられた時点で新たな予備回線を探索し、探索された予備回線を登録し、常に１：１の現用回線と予備回線とを確保する伝送ネットワークに用いる伝送装置であって、最初に設定した現用回線と予備回線とを保持する保持手段と、前記保持手段の保持内容に基づいて前記最初に設定した現用回線が障害から復帰した後に当該現用回線に切り戻す手段とを有することを特徴とする伝送装置である。
【００７９】
本発明の第２の実施例は、上記実施例において、前記現用回線に切り戻す手段が、前記保持手段に保持された前記現用回線と前記予備回線とに切り戻すことを特徴とする。
【００８０】
本発明の第３の実施例は、上記実施例において、前記現用回線に切り戻す手段は、自動または手動にて前記現用回線に切り戻すことを特徴とする。
【００８１】
本発明の第４の実施例は、伝送装置において、現用回線に障害が発生し、予備回線に切り替えられた時点で新たな予備回線を探索し、探索された予備回線を登録し、常に１：１の現用回線と予備回線とを確保する伝送ネットワークであって、前記伝送装置は、最初に設定した現用回線と予備回線とを保持する保持手段と、前記保持手段の保持内容に基づいて前記最初に設定した現用回線が障害から復帰した後に当該現用回線に切り戻す手段とを有することを特徴とする伝送ネットワークである。
【００８２】
本発明の第５の実施例は、上記実施例において、前記現用回線に切り戻す手段は、前記保持手段に保持された前記現用回線と前記予備回線とに切り戻すことを特徴とする。
【００８３】
本発明の第６の実施例は、上記実施例において、前記現用回線に切り戻す手段は、自動または手動にて前記現用回線に切り戻すことを特徴とする。
【００８４】
本発明の第７の実施例は、上記実施例において、回線の設定の起点となる伝送装置に、回線設定・削除手段と、経路計算手段と、ルーティング手段と、事前回線設定切替手段と、回線切替手段と、回線障害検出手段と、前記保持手段及び前記現用回線に切り戻す手段とを具備し、前記回線の設定の中継あるいは終点となる伝送装置に、回線設定・削除手段と、ルーティング手段と、回線障害検出手段とを具備することを特徴とする。
【００８５】
本発明の第８の実施例は、伝送装置において、現用回線に障害が発生し、予備回線に切り替えられた時点で新たな予備回線を探索し、探索された予備回線を登録し、常に１：１の現用回線と予備回線とを確保する伝送ネットワークに用いる回線切り替え方法であって、前記伝送装置が、最初に設定した現用回線と予備回線とを保持手段に保持する処理と、前記保持手段の保持内容に基づいて前記最初に設定した現用回線が障害から復帰した後に当該現用回線に切り戻す処理とを実行することを特徴とする回線切り替え方法である。
【００８６】
本発明の第９の実施例は、上記実施例において、前記現用回線に切り戻す処理において、前記保持手段に保持された前記現用回線と前記予備回線とに切り戻すことを特徴とする。
【００８７】
本発明の第１０の実施例は、上記実施例において、前記現用回線に切り戻す処理において、自動または手動にて前記現用回線に切り戻すことを特徴とする。
【００８８】
本発明の第１１の実施例は、上記実施例において、回線の設定の起点となる伝送装置に、回線設定・削除手段と、経路計算手段と、ルーティング手段と、事前回線設定切替手段と、回線切替手段と、回線障害検出手段と、前記保持手段及び前記現用回線に切り戻す手段とを設け、前記回線の設定の中継あるいは終点となる伝送装置に、回線設定・削除手段と、ルーティング手段と、回線障害検出手段とを設けたことを特徴とする。
【００８９】
以上、実施の形態及び実施例をあげて本発明を説明したが、本発明は必ずしも上記実施の形態及び実施例に限定されるものではなく、その技術的思想の範囲内において様々に変形し実施することが出来る。
【符号の説明】
【００９０】
１，２    伝送装置
１１      回線設定・削除部
１２      経路計算部
１３      ルーティング部
１４      事前回線設定切替部
１５      回線切替部
１６      回線障害検出部
１７      現用回線／予備回線保持部
【図１】
2010141879.tif 000003
【図２】
2010141879.tif 000004
【図３】
2010141879.tif 000005
【図４】
2010141879.tif 000006
【図５】
2010141879.tif 000007
【図６】
2010141879.tif 000008
【図７】
2010141879.tif 000009
【図８】
2010141879.tif 000010
【図９】
2010141879.tif 000011